(57)【特許請求の範囲】
【請求項１】
中央部に横長の矩形状のポールを有するヨーク上に、前記ポールを挟んで一対の矩形状のマグネットを配置するとともに、このマグネット上に枠状のプレートを固定した磁気回路と、前記ポールとプレート間に形成される磁気ギャップ内に装着される角筒状のボイスコイルと、このボイスコイルの上端部を裏面に固着させる矩形状の振動板と、前記磁気回路、ボイスコイルならびに振動板を保持する平面が矩形状のフレームからなり、
前記中央部に横長の矩形状のポールを有するヨークは、一対の矩形状のヨーク主体を所要の間隔を存して並列配置させるとともに、両ヨーク主体間の中央部を、所要の高さを有する断面チャンネル状の連結部材で一体的に連結し、前記連結部材をポールとしたことを特徴とする角形スピーカ。
【請求項２】
中央部に横長の矩形状のポールを有するヨーク上に、前記ポールを挟んで一対の矩形状のマグネットを配置するとともに、このマグネット上に枠状のプレートを固定した磁気回路と、前記ポールとプレート間に形成される磁気ギャップ内に装着される角筒状のボイスコイルと、このボイスコイルの上端部を裏面に固着させる矩形状の振動板と、前記磁気回路、ボイスコイルならびに振動板を保持する平面が矩形状のフレームからなり、
前記平面が矩形状のフレームは、所要の高さを有する角筒体からなるもので、内周部に振動板を保持するとともに、プレートを位置決めするための突条部を有することを特徴とする角形スピーカ。
【発明の詳細な説明】
【０００１】
【発明の属する技術分野】
この発明は、各種の音響機器に使用されるスピーカ、特に、角形で細長構造のスピーカに関するものである。
【０００２】
【従来の技術】
ハイビジョンテレビなど画面が横長のテレビにおいては、筐体の形状ならびにスペースの関係から角形、あるいは楕円形状のスピーカが一般的に使用されているが、これら細長構造のスピーカの多くは、横又は縦方向に細長く形成された振動板の中央部を、磁気ギャップの形状が真円の公知の磁気回路で点駆動する方式を採用しているので、長軸方向の分割共振が生じ、中高域における再生音圧の周波数特性にバラツキが発生し、音質が良くないという欠点がある。
【０００３】
このような問題を解決するため、例えば、特開平９−２６１７９５号公報においては、磁気ギャップを備えた複数の磁気回路にそれぞれ配置されたボイスコイルを、各磁気回路中に発生する電磁誘導力で振動させるとともに、支持部を介して細長の振動板に固着して、振動板の長径方向を均一かつ同位相で全体を振動されるよう構成したスピーカが提案されている。
【０００４】
【発明が解決しようとする課題】
しかしながら、前記公報で提案されているスピーカは、図面からも明らかなように、矩形状の振動板に対応して配置される複数の磁気回路と、この磁気回路の磁気ギャップにそれぞれ挿入され、かつ前記振動板の内周と結合される複数の支持部をそれぞれ結合される複数のボイスコイルとで構成されるため、スピーカの構成がきわめて複雑なものとなるとともに、スピーカの生産効率を向上させることが難しいという課題がある。
【０００５】
特に、近時はｉモードの利用できる携帯電話の普及が著しく、液晶画面が大型化するにしたがってスピーカ・レシーバの取付け位置が細長いスペースに限定される場合が多く、より小型化が可能で、組み立てが容易であるとともに、音質の安定した角形スピーカが求められている。
【０００６】
この発明はかかる現状に鑑み、構造がきわめて簡単で、かつ組み立てが容易であるとともに、細長の振動板の短径部と長径部の幅を均一にすることができ、取付けスペースにあった高性能な角形のスピーカを提供せんとするものである。
【０００７】
前記の目的を達成するため、この発明の請求項１に記載の発明は、
中央部に横長の矩形状のポールを有するヨーク上に、前記ポールを挟んで一対の矩形状のマグネットを配置するとともに、このマグネット上に枠状のプレートを固定した磁気回路と、前記ポールとプレート間に形成される磁気ギャップ内に装着される角筒状のボイスコイルと、このボイスコイルの上端部を裏面に固着させる矩形状の振動板と、前記磁気回路、ボイスコイルならびに振動板を保持する平面が矩形状のフレームからなり、
前記中央部に横長の矩形状のポールを有するヨークは、一対の矩形状のヨーク主体を所要の間隔を存して並列配置させるとともに、両ヨーク主体間の中央部を、所要の高さを有する断面チャンネル状の連結部材で一体的に連結し、前記連結部材をポールとしたことを特徴とする角形スピーカである。
【０００８】
また、この発明の請求項２に記載の発明は、
中央部に横長の矩形状のポールを有するヨーク上に、前記ポールを挟んで一対の矩形状のマグネットを配置するとともに、このマグネット上に枠状のプレートを固定した磁気回路と、前記ポールとプレート間に形成される磁気ギャップ内に装着される角筒状のボイスコイルと、このボイスコイルの上端部を裏面に固着させる矩形状の振動板と、前記磁気回路、ボイスコイルならびに振動板を保持する平面が矩形状のフレームからなり、
前記平面が矩形状のフレームは、所要の高さを有する角筒体からなるもので、内周部に振動板を保持するとともに、プレートを位置決めするための突条部を有することを特徴とする角形スピーカである。
【００１０】
【発明の実施の形態】
以下、この発明の実施の形態を添付の図面に基づいて説明すると、この発明の角形スピーカは、振動板が横長の矩形状のものであっても、長径部と短径部の振動板の幅を均一にすることによって、中高音域の音質再生を改善するため、スピーカを構成する磁気回路とボイスコイルおよび振動板を、いずれも平面が矩形の角形とし、これらを巧妙に組み合わせたことを最大の特徴とするものである。
【００１１】
振動板１は、図１に示すように横長の振動板主体１ａの外周縁に沿って水平なエッジ２を形成するとともに、中央部に後記するボイスコイル４を装着するための矩形状の取付け部３を設けたもので、この取付け部３以外の振動板主体１ａは全体が緩やかな円弧状を形成しているもので、前記取付け部３の外側と外周縁との間に形成される長径部と短径部の幅を均一にすることによって、中高域の音質再生を改善することができる。
【００１２】
ボイスコイル４は、前記取付け部３と同一の大きさの開口部を有する所要長さの角筒状のボイスコイルボビンにコイルを巻き付けて形成したもので、前記振動板１とともに振動系を構成するものであるが、ボイスコイルのみを角筒状に形成して使用してもよく、ボイスコイルボビンは必須ではない。
【００１３】
磁気回路は、一対の細長い矩形状のヨーク主体１１，１１を断面チャンネル状のポール１２で一体的に結合させてヨーク１０を形成するとともに、前記ヨーク主体１１，１１にそれぞれ細長い矩形状のマグネット９，９を載置固定し、これらマグネット９，９の上面に中央部に所要の大きさからなる矩形状の透孔８を形成したフレーム状のプレート７を載置固定し、前記ポール１２の外周部とプレート７の内周面との間に磁気ギャップＧを形成したものである。
【００１４】
かかる構成からなる振動系と磁気回路を使用して角形スピーカＳを組み立てるには、まず、所要の高さを有する平面矩形状の角筒状のフレーム５内に前記の磁気回路を底部から挿入すると、フレーム５の所要高さの内周壁には内側に向けて所要幅の突条部６が形成されているので、磁気回路を構成するプレート７の上面が前記突条部６の下面と当接し、磁気回路が上方に移動することが阻止され、磁気回路がフレーム５内に収まるため、フレーム５の底部に端子板５ａを固定し、磁気回路をフレーム５内に固着する。
【００１５】
ついで、振動板１の取付け部３の裏面にボイスコイル４を接着固定して振動系を形成したのち、ボイスコイル４の下端部をポール１２とプレート７との間に形成された磁気ギャップＧ内にセットし、振動板１のエッジ１ａの裏面を、接着剤を使用して前記フレーム５の突条部６の上面に固着し、角形スピーカＳを構成するものである。
【００１６】
その際、ボイスコイル４の上端部は、振動板１に形成された平面状の取付け部３の裏面に固定されるので、ダンパーは基本的には使用する必要がないが、ハイパワー化に際してはダンパーを使用することもある。なお、図中１３は全面に多数の透孔を形成した放音板である。
【００１７】
また、前記の実施の形態においては、ヨーク１０は、一対の細長い矩形状のヨーク主体１１，１１を断面チャンネル状のポール１２で一体的に結合させて形成しているが、要は中央部にポール１２が形成されたものであれば、その形状については特段の制限はないものである。
【００１８】
さらに、磁気回路を外磁タイプとすることによってマグネットのサイズが変更でき、振動板の形状が大きくなってもマグネットのサイズを大きくすることが可能で、音圧を自由にでき、マグネットの形状についても角形リング状に、あるいは棒状にするもともでき、短径部のみに短いマグネットを配置することによって短径幅を小さくすることも可能である。
【００１９】
【００２０】
【発明の効果】
この発明の角形スピーカは、振動板のみならずボイスコイルを始め、磁気回路を含めスピーカを構成する振動系と磁気回路のすべてを角形としたので、振動板が細長いタイプであっても短径部と長径部の幅を均一にでき、その結果、振動板強度を縦横方向とも均一化し、分割振動の発生やひずみを抑え、中高域の音質再生を大幅に改善することができる。
【００２１】
特に、この発明の角形スピーカにおいては、平坦な外周部と中心に円柱状の突起部を形成するためにプレス圧を必要とする鍛造方法で形成する従来のヨークと比べ、ポールを有するヨークをきわめて簡単に形成することができるので、スピーカの製造コストの引き下げが可能であるとともに、簡単な設備によってヨークを形成することができる。
【００２２】
また、角形スピーカの磁気回路を外磁形とすることによって、マグネットサイズの自由度が増し、音圧を自由にできるとともに、マグネットの形状を角形リングや棒状に設計することもでき、さらには短径部のみに短いマグネットを設置することによって、短径幅を小さくできるなど実用上多大の利点を奏するものである。
【図面の簡単な説明】
【図１】この発明に係る角形スピーカの一例を示す分解斜視図である。
【図２】図１における角形スピーカの正面断面図である。
【図３】図１における角形スピーカの側面断面図である。
【符号の説明】
１      振動板
２      エッジ
３      取付け部
４    ボイスコイル
５    フレーム
６    突条部
７    プレート
９    マグネット
１０  ヨーク
１１  ヨーク主体
１２  ポール
Ｓ    角形スピーカ
Ｇ    磁気ギャップ
【図１】
0004000793.tif 000002
【図２】
0004000793.tif 000003
【図３】
0004000793.tif 000004